(57)【要約】【課題】車両に搭載する貨幣処理装置の小型化及び構成の簡素化、回収貨幣の処理の迅速化、回収貨幣の計数結果の信頼性向上、および回収貨幣の防盗性の向上を図る。【解決手段】自動販売機１から回収した貨幣を処理するために車両に搭載される貨幣処理装置１０であって、硬貨を投入する硬貨投入部１３と、投入された硬貨を識別計数する識別計数ユニット１４と、識別計数ユニット１４で識別計数された硬貨を収容する金庫室１６とを備え、金庫室１６は、本体部１１に対して着脱可能な硬貨収容箱２１を有しており、識別計数ユニット１４で識別計数されて排出された硬貨を一時保留せず直ちに硬貨収容箱２１へ収容するように構成されており、制御部２６は、通信部３５を介して携帯端末機４０へ識別計数ユニット１４による硬貨の計数データを含む回収貨幣の計数金額情報を送信するようになっている。【選択図】図２
2010102480.tif 000002
【特許請求の範囲】
【請求項１】
貨幣収蔵機器から回収した貨幣を処理するために車両に搭載される貨幣処理装置であって、
硬貨を投入する硬貨投入部と、
該硬貨投入部から投入された硬貨を識別計数する識別計数部と、
該識別計数部で識別計数された硬貨を含む貨幣を収容する貨幣収容部と、
該貨幣処理装置の動作を制御する制御部と、記憶部と、を備え、
前記貨幣収容部は、装置本体に対して着脱可能な硬貨収容箱を有しており、前記識別計数部で識別計数されて排出された硬貨を前記硬貨収容箱へ直ちに収容するように構成されており、
前記制御部は、前記識別計数部による硬貨の計数結果を含む回収貨幣の計数金額情報を前記記憶部に記憶させる
ことを特徴とする貨幣処理装置。
【請求項２】
貨幣収蔵機器から回収した貨幣を処理するために車両に搭載される貨幣処理装置であって、
硬貨を投入する硬貨投入部と、
該硬貨投入部から投入された硬貨を識別計数する識別計数部と、
該識別計数部で識別計数された硬貨を含む貨幣を収容する貨幣収容部と、
該貨幣処理装置の動作を制御する制御部と、
外部の端末機との間で通信を行うための通信部と、を備え、
前記貨幣収容部は、装置本体に対して着脱可能な硬貨収容箱を有しており、前記識別計数部で識別計数されて排出された硬貨を前記硬貨収容箱へ直ちに収容するように構成されており、
前記制御部は、前記通信部を介して外部の端末機へ前記識別計数部による硬貨の計数結果を含む回収貨幣の計数金額情報を送信する
ことを特徴とする貨幣処理装置。
【請求項３】
前記貨幣収容部は、装置本体に対して着脱可能な紙幣収容箱を有しており、
前記紙幣収容箱に収容する紙幣の計数結果を入力する入力部、を備え、
前記制御部は、前記識別計数部で計数された硬貨の計数結果と前記入力部で入力された紙幣の計数結果とに基づいて前記回収貨幣の計数金額を算出する
ことを特徴とする請求項１又は２に記載の貨幣処理装置。
【請求項４】
前記貨幣収容部に装着された前記硬貨収容箱および前記紙幣収容箱を隠蔽するための扉体と、前記扉体を施錠する第１の錠と、
前記硬貨収容箱を開閉する蓋体および該蓋体を施錠する第２の錠、または前記紙幣収容箱を開閉する蓋体および該蓋体を施錠する第２の錠の少なくともいずれかと、が設けられている
ことを特徴とする請求項１乃至３のいずれかに記載の貨幣処理装置。
【請求項５】
貨幣収蔵機器から回収した貨幣を処理するための回収貨幣処理システムであって、
車両に搭載される貨幣処理装置と、携帯可能な端末機と、を備え、
前記貨幣処理装置は、
硬貨を投入する硬貨投入部と、該硬貨投入部から投入された硬貨を識別計数する識別計数部と、該識別計数部で識別計数された硬貨を含む貨幣を収容する貨幣収容部と、該貨幣処理装置の動作を制御する制御部と、外部の端末機との間で通信を行うための通信部と、を備え、
前記貨幣収容部は、装置本体に対して着脱可能な硬貨収容箱を有しており、前記識別計数部で識別計数されて排出された硬貨を前記硬貨収容箱へ直ちに収容するように構成されており、
前記端末機は、
該端末機の動作を制御する端末側制御部と、前記貨幣収蔵機器および前記貨幣処理装置との間で通信を行うための端末側通信部と、表示部と、記憶部と、を備えており、
前記貨幣処理装置の前記制御部は、前記通信部を介して前記端末機へ前記識別計数部による硬貨の計数結果を含む回収貨幣の計数金額情報を送信し、
前記端末機の端末側通信部は、前記貨幣収蔵機器から送信された収蔵金額情報、および前記貨幣処理装置から送信された計数金額情報を受信し、前記収蔵金額情報および前記計数金額情報を前記記憶部に記憶する
ことを特徴とする回収貨幣処理システム。
【請求項６】
前記端末側制御部は、受信した収蔵金額情報と計数金額情報とを照合し、当該照合結果を前記表示部に表示するとともに前記記憶部に記憶する
ことを特徴とする請求項５に記載の回収貨幣処理システム。
【請求項７】
前記貨幣処理装置の前記貨幣収容部は、装置本体に対して着脱可能な紙幣収容箱を有しており、
前記紙幣収容箱に収容する紙幣の計数結果を入力する入力部、を備え、
前記制御部は、前記識別計数部で計数された硬貨の計数結果と前記入力部で入力された紙幣の計数結果とに基づいて前記回収貨幣の計数金額を算出する
ことを特徴とする請求項５又は６に記載の回収貨幣処理システム。
【請求項８】
前記貨幣収容部に装着された前記硬貨収容箱および前記紙幣収容箱を隠蔽するための扉体と、前記扉体を施錠する第１の錠と、
前記硬貨収容箱を開閉する蓋体および該蓋体を施錠する第２の錠、または前記紙幣収容箱を開閉する蓋体および該蓋体を施錠する第２の錠の少なくともいずれかと、が設けられている
ことを特徴とする請求項７に記載の回収貨幣処理システム。
【発明の詳細な説明】
【技術分野】
【０００１】
本発明は、自動販売機などの貨幣収蔵機器から回収した貨幣を処理するために車両に搭載される貨幣処理装置、および該貨幣処理装置を備えた回収貨幣処理システムに関する。
【背景技術】
【０００２】
従来、例えば特許文献１に示すように、自動販売機から回収した売上金（硬貨および紙幣）の計数処理および収容処理を行うための回収貨幣処理システムがある。この回収貨幣処理システムは、自動販売機の商品補充や売上金回収を行う作業者が、補充用の商品を積載した車両で自動販売機が設置された箇所を巡回し、自動販売機に収蔵された売上金を回収する際に使用するシステムであり、車両に搭載される貨幣処理装置と、携帯可能な小型の携帯端末機とを備えて構成されている。
【０００３】
特許文献１に記載の貨幣処理装置（貨幣処理機）は、車両の運転席の隣りに設置する箱型の装置で、回収した硬貨を投入する硬貨投入部と、硬貨投入部に投入された硬貨を識別して計数する識別計数部を備えるとともに、識別計数された硬貨を収容するための収容袋が取り付けられている。そして、識別計数部から排出された硬貨を収容袋へ収容する前に一時的に保留するための一時保留部が設けられている。一方、携帯端末機は、自動販売機および貨幣処理装置の両者との間でデータ通信を行う機能を備えており、自動販売機が記憶する売上金データや貨幣処理装置による回収貨幣の計数データを収集するようになっている。
【０００４】
商品補充や売上金回収を行う作業者は、貨幣処理装置が搭載された車両で自動販売機の設置場所へ行き、自動販売機に商品を補充する。その際、自動販売機に収蔵された硬貨と紙幣を回収するとともに、携帯端末機で自動販売機と交信して売上金データを収集する。そして、回収した硬貨と紙幣を車両に持ち帰り、硬貨を貨幣処理装置に投入して計数する。また、紙幣の枚数も別途計数する。計数した硬貨は一時保留部に保留される。その際、携帯端末機で取得した売上金データと、貨幣処理装置による硬貨の計数データおよび紙幣の計数データとの照合を行う。そして、照合結果が完全に一致するか、あるいは一致と見なせる誤差範囲内の場合のみ、一時保留部の硬貨を収容袋へ収容するようになっている。照合結果が不一致の場合は、一時保留部の硬貨を取り出して、再度、識別計数部で計数し直すことができる。それでも不一致の場合は、自動販売機の故障や詐欺行為の有無など、さらに別の原因を探るようになっている。
【特許文献１】特許３４１３３３１号公報
【発明の開示】
【発明が解決しようとする課題】
【０００５】
このように、従来の回収貨幣処理システムでは、貨幣処理装置で計数処理した硬貨を直ちに収容袋に収容せず、一時保留部に保留し、その間に自動販売機の売上金データと回収貨幣の計数データとの照合を行い、売上金データと計数データとが不一致である場合、現場で直ちに原因究明を行えるようにしている。
【０００６】
しかしながら、実際には、自動販売機の売上金データと回収貨幣の計数データとが不一致の場合、回収硬貨を識別計数部で再度計数しても、計数結果が改善されることは稀であり、データの不一致が解消することは少ない。また、自動販売機の故障など他の原因がある場合も、現場で直ちに原因が判明するケースはあまりない。したがって、計数した硬貨を一時的に保留しても、売上金データと計数データが不一致である場合は、最終的にそのまま硬貨を収容袋に収容せざるを得ないことが多い。また、自動販売機からの売上金額よりも貨幣処理装置による硬貨の計数金額の方が多い場合、貨幣処理装置に投入する硬貨の数を減らす調整を行えば、照合結果が形式的に一致することとなる。このように、従来の装置構成では、硬貨の計数工程と収納工程との間に人手による作業工程が介在し得るため、売上金データと計数データが不一致である場合、作業者が照合結果を形式的に一致させることに傾注してしまうと、正確な照合結果が得られなくなるおそれがあった。
【０００７】
上記のような理由により、車両に搭載する回収貨幣処理システムでは、特許文献１に記載のシステムが備えるような、計数処理後の硬貨を収容部に収容する前に一時的に保留するための機構は必ずしも必要とはいえない。すなわち、回収貨幣処理システムでは、自動販売機の売上金データと回収貨幣の計数データとの両方を収集できるようになっていれば、売上金データと計数データの照合作業は現場以外、例えば、営業所に戻ってデータ集計の際に一緒に行っても良く、そのような場合は、計数処理後の硬貨を一時保留するための機構は省略可能である。
【０００８】
また、車両に搭載される貨幣処理装置は、運転席の近傍に設置するものであるため、可能な限り小型化、軽量化を図ることが望ましい。しかしながら、特許文献１に記載の回収貨幣処理システムでは、硬貨の一時保留に必要な一時保留箱やそれを駆動するための機構を内蔵していることで、その分、貨幣処理装置の内部構造の複雑化や外形の大型化を招いていた。
【０００９】
また、特許文献１に記載の回収貨幣処理システムでは、貨幣処理装置を搭載した車両で自動販売機の売上金の回収作業を行う場合、人通りの多い場所で車両を停め、作業者が車両から離れて自動販売機の貨幣回収や売上金データの収集作業を行う。そのため、この作業中に万一車上荒らしなどにあうと、貨幣処理装置に取り付けた硬貨を収容する収容袋が破られて硬貨が抜き取られたり、収容袋ごと盗まれたりするおそれがある。このようなことに対処するため、貨幣処理装置に収容した貨幣の防盗性を向上させる必要がある。
【００１０】
本発明は上述の点に鑑みてなされたものでありその目的は、車両に搭載する貨幣処理装置の小型化及び構成の簡素化、回収貨幣の処理の迅速化、回収貨幣の計数結果の信頼性向上、および回収貨幣の防盗性の向上を図ることができる貨幣処理装置、および回収貨幣処理システムを提供することにある。
【課題を解決するための手段】
【００１１】
上記課題を解決するため本発明にかかる貨幣処理装置は、貨幣収蔵機器（１）から回収した貨幣を処理するために車両（６０）に搭載される貨幣処理装置（１０）であって、硬貨を投入する硬貨投入部（１３）と、該硬貨投入部（１３）から投入された硬貨を識別計数する識別計数部（１４）と、該識別計数部（１４）で識別計数された硬貨を含む貨幣を収容する貨幣収容部（１６）と、該貨幣処理装置（１０）の動作を制御する制御部（２６）と、記憶部（２７）と、外部の端末機（４０）との間で通信を行うための通信部（３５）と、を備え、貨幣収容部（１６）は、装置本体（１１）に対して着脱可能な硬貨収容箱（２１）を有しており、識別計数部（１４）で識別計数されて排出された硬貨を硬貨収容箱（２１）へ直ちに収容するように構成されており、制御部（２６）は、識別計数部（１４）による硬貨の計数結果を含む回収貨幣の計数金額情報を記憶部（２７）に記憶させ、あるいは通信部（３５）を介して外部の端末機（４０）へ当該回収貨幣の計数金額情報を送信することを特徴とする。なお、ここでの括弧内の符号は、後述する実施形態の対応する構成要素の符号を本発明の一例として示したものである。
【００１２】
本発明にかかる貨幣処理装置によれば、硬貨収容部は、識別計数部で識別計数されて排出された硬貨を硬貨収容箱へ直ちに収容するように構成したので、識別計数された硬貨を一時保留するための保留箱などの機構が不要となる。したがって、貨幣処理装置の構成の簡素化、小型化、軽量化を図ることができる。また、識別計数された硬貨を一時保留せずに硬貨収容箱へ直接収容するので、投入した硬貨を識別計数して硬貨収容箱に収容する一連の処理を迅速に行うことができる。したがって、回収貨幣の処理作業の効率を向上させることができる。
【００１３】
また、識別計数された硬貨を収容するための硬貨収容箱を備えたので、万一、車上荒らしなどに遭った場合でも、従来の硬貨収容袋のように破られて中身の硬貨が抜き取られたりすることを防止できる。したがって、収容した硬貨の防盗性を向上させることができる。
【００１４】
また、上記構成の貨幣処理装置では、貨幣収容部（１６）は、装置本体（１１）に対して着脱可能な紙幣収容箱（２２）を有しており、紙幣収容箱（２２）に収容する紙幣の計数結果を入力する入力部（３４）、を備え、制御部（２６）は、識別計数部（１４）で計数された硬貨の計数結果と入力部（３４）で入力された紙幣の計数結果とに基づいて回収貨幣の計数金額を算出するようにしてもよい。これによれば、回収した硬貨の処理と紙幣の処理を別々に行うことができるので、回収貨幣の処理を短時間で効率良く行えるようになる。
【００１５】
また、上記構成の貨幣処理装置において、貨幣収容部（１６）に装着された硬貨収容箱（２１）および紙幣収容箱（２２）を隠蔽するための扉体（１６ｂ）と、扉体（１６ｂ）を施錠する第１の錠（２３）と、硬貨収容箱（２１）を開閉する蓋体（２１ｄ）および該蓋体（２１ｄ）を施錠する第２の錠（２１ｆ）、あるいは紙幣収容箱（２２）を開閉する蓋体（２２ｄ）および該蓋体（２２ｄ）を施錠する第２の錠（２２ｆ）の少なくともいずれかを設けるとよい。これによれば、貨幣処理装置に収容した硬貨や紙幣は、二段の施錠を解除しなければ取り出すことができない。したがって、収容した硬貨や紙幣を他人が不正に取り出すことを防止できるので、貨幣処理装置を搭載した車両で売上金の回収作業を行う際、作業者が車両から離れている間に貨幣処理装置内の硬貨や紙幣が盗まれることを効果的に防止できる。また、貨幣収容部に二段の錠を設けたので、各段の錠の鍵を異なる作業者が所持すれば、一人の作業者のみで収容した硬貨や紙幣を取り出せなくなる。したがって、硬貨や紙幣の取出作業に複数の作業者が介在するようになるので、硬貨や紙幣の回収作業の安全性向上につながる。
【００１６】
また、本発明にかかる回収貨幣処理システムは、貨幣収蔵機器（１）から回収した貨幣を処理するための回収貨幣処理システムであって、上記構成の貨幣処理装置（１０）と、携帯可能な端末機（４０）と、を備え、端末機（４０）は、該端末機（４０）の動作を制御する端末側制御部（４１）と、貨幣収蔵機器（１）および貨幣処理装置（１０）との間で通信を行うための端末側通信部（４３）と、表示部（４４）と、記憶部（４２）と、を備え、端末側通信部（４３）は、貨幣収蔵機器（１）から送信された収蔵金額情報、および貨幣処理装置（１０）から送信された計数金額情報を受信し、収蔵金額情報および計数金額情報を記憶部（４２）に記憶する、ことを特徴とする。
【００１７】
本発明にかかる回収貨幣処理システムによれば、貨幣処理装置において、識別計数された硬貨を一時保留せずに硬貨収容箱へ直ちに収容するので、投入した硬貨を識別計数して硬貨収容箱に収容するまでの一連の処理を迅速に行うことができる。したがって、回収貨幣の処理作業の効率を向上させることができる。その上で、携帯可能な端末機は、貨幣収蔵機器から受信した収蔵金額情報と貨幣処理装置から受信した計数金額情報を記憶部に記憶するので、収蔵金額情報と計数金額情報のデータ収集が簡単かつ確実に行える。
【００１８】
また、この場合、端末側制御部（４１）は、受信した収蔵金額情報と計数金額情報とを照合し、当該照合結果を表示部（４４）に表示するとともに記憶部（４２）に記憶するとよい。これによれば、作業者が貨幣回収作業を行う際、貨幣収蔵機器から受信した収蔵金額情報と貨幣処理装置から受信した計数金額情報との照合結果を取得できる。したがって、万一軽微な作業ミスなどがあっても、そのことに気付き易くなり、貨幣の回収作業の効率が向上する。また、照合結果を記憶部に記憶することで、売上金の回収作業が終了し営業所に戻った後で、照合結果を確認したり、ホストコンピュータに転送したりできるので、照合結果の集計作業を容易かつ迅速に行えるようになる。
【発明の効果】
【００１９】
本発明にかかる貨幣処理装置および回収貨幣処理システムによれば、車両に搭載する貨幣処理装置の小型化及び構成の簡素化、回収貨幣の処理効率の向上、回収貨幣の計数結果の信頼性向上、および回収貨幣の防盗性の向上を図ることができる。
【発明を実施するための最良の形態】
【００２０】
以下、添付図面を参照して本発明の実施形態を詳細に説明する。なお、ここでは、本発明にかかる貨幣処理システムの一例として、自動販売機から回収された貨幣を処理する貨幣処理システムについて説明する。
〔第１実施形態〕
図１乃至図５は、本発明の第１実施形態にかかる回収貨幣処理システムを示す図で、図１は、回収貨幣処理システムが備える貨幣処理装置１０の外観構成を示す斜視図、図２（ａ）は、貨幣処理装置１０の内部構成を示す透視概略斜視図、（ｂ）は、貨幣処理装置１０の部分的な内部構成を示す斜視図、図３は、貨幣処理装置１０の機能構成を示すブロック図である。また、図４は、回収貨幣処理システムが備える携帯端末機４０の外観構成を示す正面図、図５は、携帯端末機４０の機能構成を示すブロック図である。
【００２１】
本発明にかかる回収貨幣処理システムは、複数箇所に点在する自動販売機の商品補充や売上金回収やメンテナンスなどの管理（ルートサービス）を行うためのワゴン車やトラックなどの車両に搭載される貨幣処理装置１０と、自動販売機の管理を行う作業者（ルートセールスマン）が携帯する携帯端末機４０とを備えて構成されている。以下、貨幣処理装置１０と携帯端末機４０について順に説明する。
【００２２】
貨幣処理装置１０は、図１乃至図３に示すように、本体部１１と該本体部１１にケーブル３１ａを介して接続されたコントローラ３１とで構成されている。なお、図２（ａ）では、コントローラ３１の図示を省略している。本体部１１内には、図２に示すように、投入された硬貨を受け入れて一枚ずつ下流側へ送るためのホッパー１２と、硬貨を識別計数するための識別計数ユニット（識別計数部）１４と、識別計数された硬貨を収容するための金庫室（貨幣収容部）１６とが設けられている。また、本体部１１には、図３に示すように、貨幣処理装置１０の動作を制御する制御部２６と、各種データを記憶する記憶部２７とからなる制御ユニット２５が内蔵されている。一方、コントローラ３１には、複数のＬＥＤランプを有するＬＥＤ群３２ａと液晶ディスプレイ（ＬＣＤ）３２ｂとを有する表示部３２、データ入力を行うための入力部３４、携帯端末機４０との間で通信を行うための通信部３５が設けられている。本体部１１の制御ユニット２５とコントローラ３１の各部とは、ケーブル３１ａを介して接続されている。コントローラ３１は、ケーブル３１ａが届く範囲内であれば、本体部１１の上面に載置したり側方に置いたりできるので、本体部１１に対して任意の位置に配置することが可能である。以下、本体部１１とコントローラ３１の構成についてさらに詳細に説明する。なお、図３では、制御ユニット２５が本体部１１に搭載されている場合について示したが、制御ユニット２５は、コントローラ３１に搭載してもよい。
【００２３】
図１に示すように、貨幣処理装置１０の本体部１１は、外形が略直方体状の箱型に形成されており、本体部１１の上面１１ａには、硬貨を投入するための硬貨投入部１３と、コントローラ３１を載置固定するための載置部１５とが設けられている。硬貨投入部１３には、開閉可能なホッパー蓋１３ａが取り付けられており、ホッパー蓋１３ａの上面には把手１３ｂが形成されている。把手１３ｂを持ちホッパー蓋１３ａを上方へ開くことで、ホッパー１２へ通じる硬貨投入口（図示せず）が現れるようになっている。また、本体部１１の正面１１ｂと背面１１ｃとには、ベルト掛け（固定用フック）１７が取り付けられている。ベルト掛け１７は、貨幣処理装置１０を車両に固定するためのベルト（帯状体）６５、６６（図７参照）を掛ける部分で、本体部１１の正面１１ｂおよび背面１１ｃの四隅にそれぞれ設けられている。ベルト掛け１７は、横棒部分および縦棒部分を有する略Ｌ字型の棒状部材を正面１１ｂ及び背面１１ｃの四隅に固定した構成で、略Ｌ字型の箇所が本体部１１の面に対して若干隙間を有した状態で設置されている。四隅のベルト掛け１７は、互いに対称な同形状である。
【００２４】
図２に示すように、本体部１１の内部に設置したホッパー１２は、硬貨投入部１３の下側に配置されており、ホッパー１２の下端には、図示しないモータにより回転駆動される円盤状の回転体１２ａが設置されている。また、回転体１２ａの外周から接線方向の外側に向かって硬貨通路１８が延びている。回転体１２ａ上の硬貨は、回転体１２ａの回転で一枚ずつ硬貨通路１８に導入されて送り出されるようになっている。硬貨通路１８には、硬貨を搬送する搬送ベルト（図示せず）が張設されている。搬送ベルトは、図示しないモータにより駆動されるようになっている。硬貨通路１８は、識別計数ユニット１４に連通している。識別計数ユニット１４は、内部を硬貨が通過するように構成されており、詳細な内部構成の図示は省略するが、通過する硬貨の材質および形状を検知可能なセンサと、通過する硬貨を計数可能なカウンタとを有して構成されている。
【００２５】
ホッパー１２と識別計数ユニット１４は、本体部１１内の上部に設けられており、金庫室１６は、ホッパー１２と識別計数ユニット１４の下側に配置されている。金庫室１６は、本体部１１の一方の側面（後述する車両６０に搭載したときに運転席６１を向く側面）１１ｄに設けた開口部１６ａを有する略矩形の凹部状で、内部には、硬貨を収容する硬貨収容箱２１と紙幣を収容する紙幣収容箱２２とが設置されている。金庫室１６の開口部１６ａには、金庫扉１６ｂが取り付けられている。金庫扉１６ｂは、開口部１６ａの下端にヒンジ（図示せず）で連結されており、把手１６ｃを手前側に引くとヒンジを支点に手前側に回動して、開口部１６ａが開かれるようになっている。また、金庫扉１６ｂには、紙幣収容箱２２に収容する紙幣を投入するための紙幣投入口１６ｄが形成されている。金庫扉１６ｂと開口部１６ａの間には、金庫扉１６ｂを施錠するための錠（第１の錠）２３が取り付けられている。
【００２６】
図６は、金庫室１６に収納された硬貨収容箱２１を示す図で、（ａ）は、斜視図、（ｂ）は、平面図、（ｃ）は、正面図、（ｄ）は、（ｃ）のＥ−Ｅ矢視断面図、（ｅ）は、開蓋状態の斜視図である。なお、以下の説明で手前側あるいは奥側というときは、硬貨収容箱２１の引出方向における手前側あるいは奥側を示すものとする。図６に示すように、硬貨収容箱２１は、略直方体状の箱型に形成されており、硬貨を収容する収容空間２１ａを内部に有している。手前側の側壁２１ｂには、把手２１ｃが取り付けられており、上面に設けた開口２１ｈには、開閉可能な蓋体２１ｄが取り付けられている。蓋体２１ｄは、奥側のヒンジ２１ｅを介して手前側が上下に回動して開閉するようになっており、該蓋体２１ｄの手前側の端辺近傍には、蓋体２１ｄを施錠するための錠（第２の錠）２１ｆが設けられている。また、蓋体２１ｄの奥側近傍には、識別計数ユニット１４から排出されて硬貨落下位置（図２参照）Ｌから落下する硬貨を収容空間２１ａに導入するための硬貨導入口２１ｇが設けられている。
【００２７】
図２（ａ）に示すように、硬貨収容箱２１は、金庫室１６に引出状に収容されている。本実施形態では、金庫室１６の前後方向（貨幣処理装置１０の前後方向）に沿って３個の硬貨収容箱２１が並べて収容されている。以下では、金庫室１６内で最前の硬貨収容箱２１が配置された位置を硬貨収容位置Ｍという。硬貨収容位置Ｍの硬貨収容箱２１は、硬貨落下位置Ｌの真下に配置されている。また、貨幣処理装置１０の制御部２６は、識別計数ユニット１４による硬貨の計数結果に基づいて、硬貨収容位置Ｍにある硬貨収容箱２１の満杯を判断し、該満杯を報知する機能（例えば、アラームを鳴らしたりランプを点灯させたりする）を備えている。したがって、報知により硬貨収容位置Ｍの硬貨収容箱２１の満杯を知った作業者は、硬貨収容位置Ｍの硬貨収容箱２１を他の硬貨収容箱２１と入れ替える作業を行うことができる。これにより、本実施形態では、売上金の回収現場において、金庫室１６に収納した３個の硬貨収容箱２１すべてが満杯になるまでの間、投入硬貨の計数・収容処理を行うことができる。なお、硬貨収容位置Ｍにある硬貨収容箱２１の満杯は、識別計数ユニット１４による硬貨の計数結果に基づいて判断する以外にも、硬貨収容箱２１の満杯を検知する満杯検知センサを設置し、当該満杯検知センサにより満杯を検知してもよい。
【００２８】
また、紙幣収容箱２２は、図２に示すように、硬貨収容箱２１と同様の略直方体状の箱型で、手前側の側壁２２ｂに取り付けた把手２２ｃと、上面の開口２２ｈに取り付けた蓋体２２ｄとを備えている。また、蓋体２２ｄを施錠するための錠（第２の錠）２２ｆが取り付けられている。紙幣収容箱２２は、金庫室１６における３個の硬貨収容箱２１の後側に収納されており、開口部１６ａを介して引出状に出し入れ可能となっている。また、紙幣収容箱２２の手前側の側壁２２ｂには、スリット状の紙幣導入口２２ｇが設けられている。紙幣導入口２２ｇは、紙幣収容箱２２が金庫室１６に収納されて金庫扉１６ｂが閉じられた際、紙幣投入口１６ｄに対向して配置され、紙幣投入口１６ｄから投入された紙幣を紙幣収容箱２２の収容空間２２ａへ導くようになっている。なお、硬貨収容箱２１や紙幣収容箱２２の引出方向への移動（出し入れ）は、隣接する他の硬貨収容箱２１や紙幣収容箱２２、あるいは金庫室１６の内壁によってガイドされるようになっている。
【００２９】
図７は、貨幣処理装置１０を搭載した車両６０の室内を示す概略斜視図である。貨幣処理装置１０は、自動販売機に補充するための商品を積載するワゴン車やトラック車などのルートカー（以下、「車両」という）６０に搭載され、運転席６１と助手席６２との間の補助座席６３に固定されるようになっている。あるいは、補助座席６３が無い車両であれば、貨幣処理装置１０は、運転席６１と助手席６２の間のスペースに固定するか、助手席６２に固定することも可能である。ここでは、貨幣処理装置１０を補助座席６３に固定する場合について説明する。すなわち、補助座席６３の座部６３ａに本体部１１を載置して、その状態で補助座席６３の座部６３ａの下面側から本体部１１の正面１１ｂのベルト掛け１７にベルト６５を架け渡して、本体部１１を座部６３ａに括り付ける。さらに、背凭れ６３ｂと本体部１１の背面１１ｃのベルト掛け１７との間にベルト６６を架け渡して、本体部１１を背凭れ６３ｂに括り付ける。ここで、座部６３ａの下面側へ縦方向に巻き回したベルト６５は、正面１１ｂのベルト掛け１７の横棒部分に掛けられ、背凭れ６３ｂに横方向に巻き回したベルト６６は、背面１１ｃのベルト掛け１７の縦棒部分に掛けられる。このように、ベルト掛け１７を横棒部分および縦棒部分を有する略Ｌ字型に形成したことで、両方のベルト６５，６６が捩れずに架け渡される。したがって、補助座席６３に対して本体部１１を安定状態で固定できるようになる。また、本体部１１の固定強度を高めることができ、車両６０の走行時の振動で本体部１１がガタつかずに済む。なお、ここでは、固定用のベルト６５，６６は、車両６０に備え付けの座席ベルト（シートベルト）とは別のベルトを用いる場合を示したが、これ以外にも、備え付けの座席ベルトを利用して本体部１１を固定することも可能である。
【００３０】
このように、本実施形態の貨幣処理装置１０では、本体部１１にベルト掛け１７を設けたことにより、本体部１１を車両６０の座席に対して直接固定できる。したがって、本体部１１を固定するための固定枠などの部品が不要となるので、貨幣処理装置１０の車両６０への固定が簡単に行えるようになる。なお、本体部１１を補助座席６３に固定した状態では、金庫扉１６ｂが運転席６１を向いて配置される。
【００３１】
図８は、コントローラ３１の拡大斜視図である。コントローラ３１は、手で保持可能な小型サイズの箱型で、正面３１ｃには、ＬＥＤ群３２ａとＬＣＤ３２ｂとからなる表示部３２が配置されている。表示部３２は、識別計数ユニット１４による硬貨の計数値などを表示する。また、各種の操作キー３４ａを備えた入力部３４、通信部３５による通信を行う際に赤外線などの光通信媒体を送受信するための通信窓３３が配列されている。入力部３４の操作キー３４ａには、計数処理の開始および停止を指示する開始／停止キーや、計数データをリセットするためのリセットキーなどが含まれている。また、コントローラ３１の上面３１ｄには、貨幣処理装置１０をホストコンピュータやプリンタ（いずれも図示せず）とケーブル接続するための接続端子部３６が設けられている。接続端子部３６を介してホストコンピュータやプリンタに接続することで、貨幣処理装置１０の計数データをホストコンピュータに転送して保存したり、プリンタに転送して印刷したりできる。また、貨幣処理装置１０のソフトウェアを更新することも可能である。
【００３２】
コントローラ３１は、貨幣処理装置１０の操作を行い易くするために、本体部１１と独立して設けられており、ケーブル３１ａで本体部１１に接続されている。また、コントローラ３１は、ケーブル３１ａで本体部１１に接続する以外にも、本体部１１との間で赤外線などの光通信手段によりデータの授受を行うように構成してもよい。
【００３３】
コントローラ３１は、本体部１１の上面１１ａの載置部１５に載置される。載置部１５とコントローラ３１の底部３１ｂとの間には、これらを接合・離間させるマグネット（図示せず）が取り付けられている。したがって、コントローラ３１は、載置部１５に載置して固定が可能である。コントローラ３１は、貨幣処理装置１０の操作を行う際、操作者が載置部１５から取り外して手で持ちながら操作を行う一方、車両の走行時など貨幣処理装置１０の操作を行わないときには、載置部１５に固定しておく。載置部１５に対する固定手段は、車両の走行時の振動でコントローラ３１が落下したり固定位置がずれたりしない程度に固定できればよく、マグネットによる固定には限定されない。それ以外にも、例えば、図示は省略するが、コントローラ３１の底部３１ｂを保持可能な凹部を有する固定枠を載置部１５に取り付けた構成でもよい。なお、本体部１１を補助座席６３に固定した状態で、載置部１５に載置したコントローラ３１の正面（操作面）３１ｃが運転席６１を向いて配置される。
【００３４】
次に、携帯端末機４０は、図４及び図５に示すように、制御部（端末側制御部）４１、各種データを記憶するための記憶部４２、自動販売機１および貨幣処理装置１０と相互に光通信を行うための通信部（端末側通信部）４３、データなどの表示を行う表示部４４、情報の入力操作を行う入力部４５、各種データを印字出力する印字部４６の各部を備えている。ここで、図４に示すように、表示部４４は、液晶ディスプレイ（ＬＥＤ）で構成されており、入力部４５は、テンキーなど各種の操作キー４５ａを備えて構成されている。なお、図示は省略するが、表示部４４にタッチパネルが形成されている場合は、当該タッチパネルも入力部４５の一部を構成する。印字部４６は、サーマルプリンタで構成されており、ロール状に巻回された感熱紙が内蔵されている。また、図４に示すように、携帯端末機４０のケース４７の上端には、外部との通信に用いる赤外線などの光通信媒体を送受信するための通信窓４８が設けられている。
【００３５】
携帯端末機４０の制御部４１は、通信部４３及び通信窓４８を介して自動販売機１と通信することで、自動販売機１から送信された売上金額データを受信して記憶部４２に記憶する機能を有している。また、貨幣処理装置１０と通信することで、貨幣処理装置１０から送信される回収貨幣の計数金額データを受信して記憶部４２に記憶する機能を有している。さらに、自動販売機１から収集した売上金額データと、貨幣処理装置１０から収集した計数金額データとを照合する機能、および照合結果を記憶部４２に記憶する機能を有している。
【００３６】
次に、上記構成の貨幣処理装置１０による硬貨の計数処理について説明する。後述する売上金の回収作業で自動販売機１から回収された硬貨は、本体部１１の硬貨投入部１３を介してホッパー１２に投入される。その後、コントローラ３１の入力部３４に設けた開始／停止キーが操作されることにより、搬送ベルトと回転体１２ａが駆動されて、投入された硬貨の計数動作が開始される。すなわち、回転体１２ａが回転することで、硬貨は遠心力により回転体１２ａの外周に沿って移動して１枚ずつ硬貨通路１８に送り出される。硬貨通路１８に送り出された硬貨は、搬送ベルトで下流側へ搬送される。硬貨通路１８を搬送された硬貨は、識別計数ユニット１４に導入される。識別計数ユニット１４に導入された硬貨は、内部を搬送されてセンサの位置を通過する際に金種（１０円、５０円、１００円、５００円）が識別されるとともに、金種ごとの枚数が計数される。
【００３７】
金種の識別および計数が行われた硬貨は、識別計数ユニット１４から排出され、硬貨通路１８を通って硬貨落下位置Ｌから落下する。落下した硬貨は、硬貨収容位置Ｍにセットされた硬貨収容箱２１の硬貨導入口２１ｇを介して収容空間２１ａに収容される。すなわち、硬貨投入部１３から投入された硬貨は、一枚ずつ搬送されて識別計数ユニット１４で識別計数された後、一時保留されることなく直ちに硬貨収容箱２１に収容されるようになっている。
【００３８】
こうして、硬貨投入部１３から投入されたすべての硬貨が順に識別計数されて、硬貨収容箱２１に収容される。なお、硬貨の搬送および識別計数動作は、硬貨収容位置Ｍにセットされた硬貨収容箱２１が満杯になると一時的に停止する。硬貨収容箱２１が満杯になったか否かは、識別計数ユニット１４で計数した硬貨の枚数に基づいて判断することができる。硬貨収容箱２１が満杯になったら、硬貨収容位置Ｍの硬貨収容箱２１を他の硬貨収容箱２１と入れ替える。この入れ替えは、作業者が手作業で行う。作業者は、硬貨収容箱２１の入れ替えが済んだら、入力部３４の開始／停止キーを押す。これにより、硬貨の識別計数動作および硬貨収容箱２１への収容動作が再開され、継続して硬貨を処理できるようになる。
【００３９】
貨幣処理装置１０の制御部２６は、識別計数ユニット１４で識別計数された硬貨の識別計数結果（金種ごとの枚数）を記憶部２７に記憶させる。また、入力部３４で入力された紙幣の計数結果を記憶部２７に記憶させる。さらに、制御部２６は、識別計数ユニット１４で計数された硬貨の計数結果と、入力部３４で入力された紙幣の計数結果とを合算することで、当該合算結果を一台の自動販売機１から回収した貨幣の計数金額として算出することができ、かつ、算出した計数金額を記憶部２７に記憶することができる。
【００４０】
次に、自動販売機１から貨幣を回収する作業の手順について説明する。図９は、当該作業の手順を説明するためのフローチャートである。また、図１０は、自動販売機１と、営業担当者（以下、「ルートセールスマン」という）または携帯端末機４０と、車両に搭載された貨幣処理装置１０と、営業所に備え付けられたホストコンピュータ５０との四者間におけるデータの流れおよび回収貨幣の流れを説明するための模式図である。なお、図１０では、貨幣処理装置１０の表示部３２であるＬＣＤ３２ａの表示例も図示している。
【００４１】
自動販売機１は、清涼飲料水やたばこなどを販売する装置で、詳細な図示は省略するが、前扉の内側に貨幣処理ユニットが設置されている。貨幣処理ユニットは、投入された硬貨や紙幣を識別計数するとともに、必要時に釣り銭準備金を払い出す機器である。また、自動販売機１には、貨幣処理ユニットを含む全体の動作を制御する制御ユニットと、携帯端末機４０との間で光通信を行う通信部とが設けられている。通信部を通じて、自動販売機１の売上金額データや販売商品データなど各種データが携帯端末機４０へ送信されるようになっている。
【００４２】
ルートセールスマンは、貨幣処理装置１０を搭載した車両６０に自動販売機１に補充する商品を載せ、携帯端末機４０を携帯して、複数のロケーションに点在する自動販売機１を巡回する。そして自動販売機１の設置場所に赴いた際、商品の補充を行うとともに、売上金の貨幣（硬貨及び紙幣）を回収する。以下、その作業手順を詳細に説明する。
【００４３】
まず、ルートセールスマンは、車両を運転して自動販売機１の設置場所（以下、「ロケーション」という）へ移動する（ステップＳＴ１）。ここでは、一のロケーションに複数台の自動販売機１が設置されている場合を説明する。ロケーションに着いたら、自動販売機１の前扉を開く。そして、携帯端末機４０の通信窓４８を自動販売機１の通信部に向け、携帯端末機４０で自動販売機１との通信モードを設定する。これにより、自動販売機１に記憶されている売上金データ（収蔵金額情報）が携帯端末機４０に送信される。携帯端末機４０は、自動販売機１から送信された売上金データを受信して（ステップＳＴ２）、記憶部４２に記憶する（ステップＳＴ３）。ここで、図１０に示すように、携帯端末機４０により受信されるデータには、売上金データのほか、自動販売機１の識別情報（自動販売機１のマシンコード及び設置場所に関するロケーションコード）が含まれる。このとき、携帯端末機４０では、受信した売上金データを表示部４４に表示させることも可能である。さらに、必要に応じて入力部４５から印字指令を入力することで、当該売上金データを印字部４６で印字（プリントアウト）することも可能である。
【００４４】
続いて、ルートセールスマンは、自動販売機１の貨幣処理ユニットに収蔵された硬貨および紙幣を回収する（ステップＳＴ４）。その際、一旦、貨幣処理ユニットの硬貨および紙幣をすべて回収し、その後、回収した硬貨のうち一定額を釣銭準備金として貨幣処理ユニットに戻す。このとき、図１０に示すように、あらかじめ営業所で作成して持参した売上金回収対象の自動販売機１に関する識別情報（マシンコードおよびロケーションコード）が記載された伝票を用意し、回収した硬貨および紙幣を入れた回収袋に当該伝票を付し、これらを一緒にしておく。以上により、一台の自動販売機１に対する作業が終了する。その後、同一ロケーション内のすべての自動販売機１に対する売上金の回収作業が済んだか否かを確認する（ステップＳＴ５）。その結果、同一ロケーション内にまだ売上金の回収作業が済んでない自動販売機１があれば（ＮＯ）、当該自動販売機１に対して、ステップＳＴ２〜ステップＳＴ４の作業を行い、売上金データの収集および貨幣の回収を行う。こうして、同一ロケーション内のすべての自動販売機１に対する売上金の回収作業が終わったら（ＹＥＳ）、ルートセールスマンは、回収した貨幣と携帯端末機４０を持って車両６０に戻る（ステップＳＴ６）。
【００４５】
車両６０に戻ったルートセールスマンは、一台の自動販売機１で回収した紙幣を手作業で数え、コントローラ３１の入力部３４で当該紙幣の枚数を貨幣処理装置１０に入力する（ステップＳＴ７）。また、当該紙幣を貨幣処理装置１０の紙幣投入口１６ｄに投入する。これにより、回収した紙幣が計数されて紙幣収容箱２２に収容される（ステップＳＴ８）。入力された紙幣の計数結果は、記憶部２７に記憶される。また、表示部３２に表示するようにしてもよい。一方、ルートセールスマンは、自動販売機１で回収した硬貨を貨幣処理装置１０の硬貨投入部１３に投入し、入力部３４の開始／停止キーを押す。これにより、貨幣処理装置１０で硬貨の識別計数処理が開始される（ステップＳＴ９）。なお、ステップＳＴ８とステップＳＴ９の手順は逆に行うことも可能である。貨幣処理装置１０内において、計数が行われた硬貨は、識別計数ユニット１４から排出されて硬貨収容箱２１に収容される。こうして、貨幣処理装置１０に投入されたすべての硬貨の計数が完了することで、一台の自動販売機１から回収された硬貨の識別計数処理が終了する（ステップＳＴ１０）。識別計数ユニット１４で計数された硬貨の計数データ（計数金額情報）は、記憶部２７に記憶される。また、表示部３２に表示するようにしてもよい。さらに、貨幣処理装置１０の制御部２６は、識別計数ユニット１４で計数された硬貨の計数結果と、入力部３４で入力された紙幣の計数結果とを合算した結果を回収貨幣の計数データとして算出することができる（ステップＳＴ１１）。算出した回収貨幣の計数データは、記憶部２７に記憶される。また、必要に応じて表示部３２に表示するようにしてもよい。
【００４６】
その後、ルートセールスマンは、携帯端末機４０の通信窓４８を貨幣処理装置１０のコントローラ３１の通信窓３３に向け、その状態で、携帯端末機４０を操作して貨幣処理装置１０との通信モードを設定する。これにより、貨幣処理装置１０は、図１０に示すように、直前に行った計数処理に基づく硬貨及び紙幣の計数データを携帯端末機４０へ送信する。携帯端末機４０は、回収貨幣の計数データを受信する。こうして、携帯端末機４０で貨幣処理装置１０から回収貨幣の計数データが収集される（ステップＳＴ１２）。携帯端末機４０は、受信した回収貨幣の計数データを記憶部４２に記憶する（ステップＳＴ１３）。このとき、必要に応じて、受信したデータを表示部４４に表示することも可能である。そして、携帯端末機４０の制御部４１は、ステップＳＴ２で自動販売機１から収集した売上金データと、ステップＳＴ１１で貨幣処理装置１０から収集した回収貨幣の計数データとの照合を行う（ステップＳＴ１４）。ここでのデータの照合は、識別情報に基づいて自動販売機１ごとに行う。また、携帯端末機４０は、当該データの照合結果を記憶部４２に記憶させる（ステップＳＴ１５）。さらに、回収貨幣の計数データを受信した携帯端末機４０は、図１０に示すように、貨幣処理装置１０へ回収貨幣の計数データのクリア指令を送信する。クリア指令を受信した貨幣処理装置１０の制御部２６は、自身が有する回収貨幣の計数データをクリアする。
【００４７】
その後、ルートセールスマンは、同一ロケーション内のすべての自動販売機１に対する回収貨幣の計数データの携帯端末機４０への収集が済んだか否かを確認する（ステップＳＴ１６）。その結果、同一ロケーション内にある自動販売機１にまだ計数データの収集が済んでないものがあれば（ＮＯ）、当該自動販売機１の計数データに対してステップＳＴ１１〜ステップＳＴ１４の手順を行い、回収貨幣の計数データを収集する。さらに、ルートセールスマンが担当するすべてのロケーションでの売上金回収が済んだか否かを判断する（ステップＳＴ１７）。その結果、売上金回収が済んでないロケーションがあれば（ＮＯ）、当該ロケーションでステップＳＴ１からの手順を行う。最終的に、担当するすべてのロケーションにあるすべての自動販売機１の売上金回収が終わったら（ＹＥＳ）、ルートセールスマンは、車両６０を運転して営業所へ戻る（ステップＳＴ１８）。
【００４８】
ルートセールスマンが営業所に戻った後、貨幣処理装置１０の金庫扉１６ｂを施錠している第１の錠２３を解錠して、金庫室１６に収納されている硬貨収容箱２１と紙幣収容箱２２を取り出す。さらに、硬貨収容箱２１を施錠している第２の錠２１ｆと紙幣収容箱２２を施錠している第２の錠２２ｆとを解錠して、収容された硬貨および紙幣を取り出す（ステップＳＴ１９）。この際、金庫扉１６ｂの第１の錠２３を開ける鍵と、硬貨収容箱２１の第２の錠２１ｆあるいは紙幣収容箱２２の第２の錠２２ｆを開ける鍵とを異なる種類の鍵として、互いの鍵を異なる作業者が所持しておけば、一人の作業者が単独で貨幣処理装置１０から硬貨や紙幣を取り出すことが出来なくなる。したがって、貨幣処理装置１０に収容された貨幣の管理を安全かつ確実に行えるようになる。
【００４９】
また、ルートセールスマンが営業所に戻った後で、貨幣処理装置１０のコントローラ３１を操作して、その日に回収した貨幣の計数データをクリアし、貨幣処理装置１０に記憶されている計数データをリセットする（ステップＳＴ２０）。また、携帯端末機４０を営業所のホストコンピュータ５０と接続し、携帯端末機４０に記憶されている貨幣処理装置１０から収集した回収貨幣の計数データと、自動販売機１から収集した売上金データと、これら回収貨幣の計数データと売上金データの照合結果と、をホストコンピュータ５０に転送する（ステップＳＴ２１）。ホストコンピュータ５０は、回収貨幣の計数データと売上金データと照合結果とを自動販売機１ごとに纏め、自動販売機１ごとの一覧データを作成する。さらに、ホストコンピュータ５０は、当該一覧データを記憶媒体に記憶する。以上により、一連の貨幣回収および回収貨幣処理の作業が終了する。
【００５０】
本実施形態の回収貨幣処理システムが備える貨幣処理装置１０では、識別計数ユニット１４で識別計数されて排出された硬貨を一時保留せず硬貨収容箱２１へ直接収容するように構成したので、硬貨を一時保留するための保留箱やそれを駆動するための機構などが不要となる。したがって、貨幣処理装置１０の構成の簡素化、小型化、軽量化を図ることができる。また、識別計数された硬貨を一時保留せず直ちに硬貨収容箱２１へ収容するので、投入した硬貨を識別計数して硬貨収容箱２１に収容する一連の処理を迅速に行うことができる。したがって、回収貨幣の処理効率を向上させることができる。
【００５１】
また、本実施形態の貨幣処理装置１０では、貨幣処理装置１０の本体部１１にベルト掛け１７を取り付け、車両６０の補助座席６３に載置した本体部１１をベルト掛け１７に通したベルト６５，６６で固定するように構成したので、本体部１１を車両６０に固定するための固定枠などを用意する必要がない。したがって、貨幣処理装置１０の構成の簡素化、小型化を図ることができる。これにより、車内における貨幣処理装置１０の設置スペースが小さくて済み、車内を広く利用できるようになる。また、比較的小型の車両にも貨幣処理装置１０を搭載し易くなる。
【００５２】
また、本実施形態の貨幣処理装置１０では、紙幣投入口１６ｄに投入された紙幣の計数結果を入力部３４で入力する一方、硬貨投入部１３に投入された硬貨を識別計数ユニット１４で識別計数するようにしている。すなわち、回収した硬貨の処理と紙幣の処理とを別々に行うので、回収貨幣の処理を短時間で効率良く行えるようになる。また、制御部２６は、識別計数ユニット１４で計数された硬貨の計数結果と入力部３４で入力された紙幣の計数結果とを合算して回収貨幣の計数金額を算出するので、回収した貨幣の合計金額を迅速に把握できるようになり、回収貨幣の処理作業の利便性が向上する。
【００５３】
また、本実施形態の貨幣処理装置１０では、金庫室１６に収納された硬貨収容箱２１および紙幣収容箱２２を隠蔽するための金庫扉１６ｂと、金庫扉１６ｂを施錠する第１の錠２３と、硬貨収容箱２１の蓋体２１ｄを施錠する第２の錠２１ｆおよび紙幣収容箱２２の蓋体２２ｄを施錠する第２の錠２２ｆと、を設けている。したがって、貨幣処理装置１０に収容した硬貨や紙幣は、二段の施錠を解除しなければ取り出すことができない。これにより、収容した硬貨や紙幣を他人が不正に取り出すことを防止できるので、貨幣処理装置１０を搭載した車両６０で売上金の回収作業を行う際、作業者が車両６０から離れている間などに貨幣処理装置１０内の硬貨や紙幣が盗まれることを効果的に防止できる。
【００５４】
〔第２実施形態〕
次に、本発明の第２実施形態にかかる回収貨幣処理システムについて説明する。なお、第２実施形態の説明及び対応する図面においては、第１実施形態と同一又は相当する構成部分には同一の符号を付し、以下ではその部分の詳細な説明は省略する。また、以下で説明する事項以外の事項及び図示する以外の事項については、第１実施形態と同じである。この点は他の実施形態においても同様である。図１１は、第２実施形態の貨幣処理装置１０−２が備える硬貨収容箱２１−２を示す図で、（ａ）は、硬貨収容箱２１−２の側断面図、（ｂ）は、（ａ）のＢ−Ｂ矢視断面図である。本実施形態の回収貨幣処理システムは、第１実施形態の貨幣処理装置１０とは異なる構成の貨幣処理装置１０−２を備えている。具体的には、本実施形態の貨幣処理装置１０−２は、硬貨収容箱２１−２の構成のみ第１実施形態の貨幣処理装置１０とは異なっており、その他の構成は、貨幣処理装置１０と同じである。以下、本実施形態の貨幣処理装置１０−２について詳細に説明する。
【００５５】
硬貨収容箱２１−２は、開口部７１を開閉するシャッター（蓋体）７２と、シャッター７２を閉位置で施錠するための第２の錠７８を有するロック機構８０とを備えている。シャッター７２は、硬貨収容箱２１−２の移動方向（出入方向）と一致する長手方向に沿って巻取・引出が可能となるように、多数の短冊状の板材７２ａを長手方向に沿って折曲可能となるように連結し、全体が帯形状に形成されている。シャッター７２は、硬貨収容箱２１の内部の手前側に設けた巻取部７３に巻き取られて収納されることで、開口部７１を開放する。一方、巻取部７３に巻き取られたシャッター７２を引き出すことで、開口部７１が閉じられる。巻取部７３は、巻き取ったシャッター７２を収納可能な空間からなる。開口部７１の両側には、シャッター７２の両側辺を沿わせて巻取・引出方向への移動をガイドする溝状のガイドレール７４が設けられている。ガイドレール７４は、開口部７１の内側面において、硬貨収容箱２１−２の長手方向に沿って形成されている。シャッター７２の先端（引出方向の先端）には、シャッター７２の長手方向と直交する面内で上方に突出する平板状の揺動レバー８３が取り付けられている。揺動レバー８３は、ヒンジ８３ａを介してシャッター７２の先端に揺動可能に取り付けられており、硬貨収容箱２１−２を金庫室１６から出し入れする際、開口部１６ａの上方に位置する側壁７５に当接するように構成されている。
【００５６】
揺動レバー８３の構成及び動作を詳細に説明する。図１２（ａ）乃至（ｄ）は、図１１のＣ部分の拡大図で、揺動レバー８３の構成および側壁７５との当接に伴う動作を説明するための図である。揺動レバー８３とシャッター７２を連結するヒンジ８３ａは、揺動レバー８３がシャッター７２の面に対して垂直上方に延びる位置（以下、この位置を中立位置という）から、シャッター７２の巻取方向（図１２に示す反時計回り方向）には揺動（回動）可能であるが、シャッター７２の引出方向（図１２に示す時計回り方向）には揺動不能になっている。また、詳細な図示は省略するが、ヒンジ８３ａには、巻取方向へ揺動した揺動レバー８３を中立位置へ付勢するねじりバネなどの付勢手段が内蔵されている。したがって、揺動レバー８３は、中立位置から巻取方向への押圧力が作用すると同方向へ回動し、当該力が解除されると中立位置へ自動的に復帰するようになっている。また、中立位置から引出方向への押圧力が作用しても、同方向へは回動しない。これにより、同図（ａ）〜（ｃ）に示すように、硬貨収容箱２１を金庫室１６に収納する際、側壁７５の外面に当接して押圧される揺動レバー８３が巻取方向へ倒れて側壁７５を乗り越え、シャッター７２の先端が側壁７５の位置を通過する。一方、硬貨収容箱２１を金庫室１６から取り出す際、側壁７５の内面に当接する揺動レバー８３が回動しないことにより、同図（ｄ）に示すように、硬貨収容箱２１を取り出す動作に連動して、シャッター７２が巻取部７３から引き出されて開口部７１が閉じられる。
【００５７】
図１３（ａ）乃至（ｃ）は、図１１のＤ部分の拡大図で、ロック機構８０の構成および動作を説明するための図、（ｄ）は、同図（ａ）のＦ−Ｆ矢視図である。ロック機構８０は、シャッター７２の先端に取り付けた係合片７６と、硬貨収容箱２１の側壁２１ｉの外面に上下動可能に取り付けたロック片７７、及び該ロック片７７を移動させてシャッター７２をロックする第２の錠７８とを備えて構成されている。以下、ロック機構８０の構成及び動作を詳細に説明する。係合片７６は、シャッター７２の先端から前方に向かって突出した平板状の部材である。係合片７６は、その面がシャッター７２の面と平行に設置されており、先端近傍に係合穴７６ａが設けられている。一方、ロック片７７は、係合片７６の係合穴７６ａに挿入されて係合可能な部材で、バネ７９により上方に向かって付勢されている。ロック片７７は、バネ７９の付勢力に抗して上下動が可能になっている。第２の錠７８は、鍵７８ｃによって回転する回転軸７８ａと、回転軸７８ａに取り付けた扇状の可動片７８ｂとを備えている。第２の錠７８に鍵７８ｃを差し込んで回すことで、回転軸７８ａとともに可動片７８ｂが回動し、可動片７８ｂによりロック片７７が押圧されて下方へ移動するようになっている。これにより可動片７８ｂでロック片７７が下方へ押し下げられ、係合片７６に対するロック片７７の係合が解除されるようになっている。
【００５８】
ロック片７７の先端における係合片７６に対向する位置には、傾斜面７７ａが形成されており、シャッター７２が閉位置へ移動する際、係合片７６が側壁２１ｉに設けた貫通穴２１ｊを貫通して、傾斜面７７ａに当接してロック片７７を下方へ押し下げる。これにより、ロック片７７がバネ７９の付勢力に抗して一旦下方へ移動し、その後、係合片７６の係合穴７６ａに係合する。したがって、シャッター７２を引き出して開口部７１閉じることで、シャッター７２が閉位置で自動的にロックされる。一方、シャッター７２を開けるには、第２の錠７８に鍵７８ｃを差し込んで回すことでロック片７７を押し下げ、ロック片７７と係合片７６との係合を解除し、その状態でシャッター７２を巻取方向へ移動させる。
【００５９】
硬貨収容箱２１を金庫室１６へ収納する際には、シャッター７２を巻取部７３へ巻き取って開口部７１を開いた状態としておく。これにより、貨幣処理装置１０で硬貨の処理を行う際、硬貨落下位置Ｌから落下した硬貨が開口部７１を介して硬貨収容箱２１に収容される。硬貨収容位置Ｍの硬貨収容箱２１が満杯になった場合、金庫室１６から当該硬貨収容箱２１を取り出して、空いている他の硬貨収容箱２１と入れ替える。ここで、図１２（ｄ）に示すように、金庫室１６から硬貨収容箱２１を取り出す際、その動作に連動して、揺動レバー８３が側壁７５の内面に引っ掛かることで、揺動レバー８３でシャッター７２が引き出される。こうして、硬貨収容箱２１の全体が金庫室１６から取り出されたとき、開口部７１がシャッター７２で完全に閉じられ、かつ、シャッター７２がロック機構８０でロックされる。したがって、金庫室１６から取り出した硬貨収容箱２１は、開口部７１が閉じられてロックされた状態であり、硬貨を取り出すには、第２の錠７８でロック機構８０のロックを解除してシャッター７２を開かなければならない。
【００６０】
本実施形態の貨幣処理装置１０によれば、金庫室１６から硬貨収容箱２１を取り出すだけで硬貨収容箱２１が閉じられて施錠されるので、回収した硬貨を不用意に紛失することなどを確実に防止できる。また、硬貨収容箱２１を出し入れする際に開口部７１を開閉する手間が軽減されるので、貨幣の回収作業の効率が向上する。さらに、金庫室１６から取り出した硬貨収容箱２１が閉じられて施錠されるので、硬貨収容箱２１の運搬作業を行い易くなり、便利である。なお、上記で説明した硬貨収容箱２１−２が備えるシャッター７２やロック機構８０の構成は、紙幣収容箱２２にも適用が可能である。
【００６１】
〔第３実施形態〕
次に、本発明の第３実施形態にかかる回収貨幣処理システムについて説明する。第１実施形態の回収貨幣処理システムでは、貨幣処理装置１０による硬貨及び紙幣の計数データと自動販売機１からの売上金データとの照合を携帯端末機４０で行うように構成していたが、本実施形態の回収貨幣処理システムでは、当該照合を貨幣処理装置１０で行うように構成している。本実施形態の回収貨幣処理システムは、この点のみが第１実施形態の回収貨幣処理システムと異なっており、他の点は、第１実施形態の回収貨幣処理システムと同じである。
【００６２】
図１４は、本実施形態における自動販売機１から貨幣を回収する作業の手順を説明するためのフローチャートである。同図のフローチャートにおいて、ステップＳＴ３１〜ステップＳＴ４１の手順は、第１実施形態の図９に示すフローチャートにおけるステップＳＴ１〜ステップＳＴ１１の手順と同じであり、かつ、図１４のステップＳＴ４６〜ステップＳＴ５１の手順は、図９のステップＳＴ１６〜ステップＳＴ２１と同じである。つまり、第１実施形態の処理フローと本実施形態の処理フローとを比較すると、ステップＳＴ４２〜ステップＳＴ４５のみが異なっている。したがって、ここでは、第１実施形態と異なる手順であるステップＳＴ４２〜ステップＳＴ４５のみを説明し、他のステップについては説明を省略する。
【００６３】
すなわち、本実施形態の回収貨幣処理システムでは、図１４に示すステップＳＴ４０で貨幣処理装置１０に投入した硬貨の識別計数処理が終わり、ステップＳＴ４１で、貨幣処理装置１０による紙幣の計数データと硬貨の計数データとの合算処理が終わったら、ルートセールスマンは、携帯端末機４０の通信窓４８を貨幣処理装置１０のコントローラ３１の通信窓３３に向け、その状態で、携帯端末機４０を操作して貨幣処理装置１０との通信モードを設定する。これにより、本実施形態では、ステップＳＴ３２で収集した自動販売機１の売上金データが携帯端末機４０から貨幣処理装置１０に送信される（ステップＳＴ４２）。当該売上金データを受信した貨幣処理装置１０の制御部２６は、売上金データと回収貨幣の計数データとを照合する（ステップＳＴ４３）。その後、貨幣処理装置１０は、回収貨幣の計数データと上記の照合結果（照合の良否および具体的な数値）とを携帯端末機４０に送信する（ステップＳＴ４４）。携帯端末機４０は、回収貨幣の計数結果および照合結果を受信して、記憶部４２に記憶させる（ステップＳＴ４５）。
【００６４】
このように、本実施形態では、硬貨及び紙幣の計数データと自動販売機１からの売上金データとの照合を貨幣処理装置１０で行うように構成している。したがって、貨幣処理装置１０で硬貨の計数処理を行い、紙幣の計数データと合算して回収貨幣の計数データを算出した後、直ちに回収貨幣の計数データと売上金データとの比較照合を行うことができる。したがって、当該照合処理を貨幣の回収作業中に行う必要がある場合でも迅速に行えるので、貨幣の回収作業の効率が向上する。
【００６５】
〔第４実施形態〕
次に、本発明の第４実施形態にかかる回収貨幣処理システムについて説明する。図１５は、本実施形態の貨幣処理装置１０−４の機能構成を示すブロック図である。第１実施形態の回収貨幣処理システムは、車両６０に搭載される貨幣処理装置１０と、ルートセールスマンが携帯する携帯端末機４０とで構成されていたのに対して、本実施形態の回収貨幣処理システムは、携帯端末機４０を備えておらず、貨幣処理装置１０−４のみで構成されている。すなわち、ルートセールスマンは、貨幣処理装置１０−４だけで自動販売機１の貨幣回収および回収貨幣の処理を行う。貨幣処理装置１０−４は、第１実施形態の貨幣処理装置１０と比較して、携帯端末機４０との通信を行うための通信部３５が省略されており、その代わりに、計数データなどの印字を行うための印字部３７が設けられている。印字部３７の具体的構成としては、詳細な図示は省略するが、例えば、コントローラ３１にサーマルプリンタを設ければよい。なお、この印字部６５は、貨幣処理装置１０−４に設ける以外にも、外付けのプリンタを貨幣処理装置１０−４に接続してもよい。また、後述する貨幣回収作業において計数結果の印字出力が不要である場合は、省略してもよい。
【００６６】
図１６は、本実施形態における貨幣回収作業の手順について説明するためのフローチャートである。また、図１７は、自動販売機１と、ルートセールスマンと、車両に搭載された貨幣処理装置１０−４と、営業所に備え付けられたホストコンピュータ５０との四者間におけるデータの流れおよび回収貨幣の流れを説明するための模式図である。以下、これらの図を用いて、本実施形態の貨幣回収作業の流れを説明する。なお、以下の説明では、第１実施形態における貨幣回収作業の流れと共通する内容については、適宜に説明を省略する。
【００６７】
まず、ルートセールスマンは、車両を運転してロケーションへ移動する（ステップＳＴ６１）。ロケーションに着いたら、自動販売機１の前扉を開く。そして、自動販売機１内に設置された売上金データが記録されたカウンター（図示せず）を見て、自動販売機１に記憶されている売上金データ（収蔵金額情報）を確認する。このとき、ルートセールスマンは、持参した帳簿（自動販売機１のマシンコードやロケーションコードが記載された一覧表が掲載されており、対応箇所に売上金データを記載できるもの）に自動販売機１の売上金データを記載する（ステップＳＴ６３）。なお、ステップＳＴ６３での帳簿への売上金の記載は、必ずしも必要な作業ではなく、場合によっては省略も可能である。また、自動販売機１に印字機能が搭載されている場合は、当該印字機能を用いて売上金データを印字（プリントアウト）してもよい。
【００６８】
続いて、ルートセールスマンは、自動販売機１の貨幣処理ユニットに収蔵された硬貨および紙幣を回収する（ステップＳＴ６４）。このとき、図１７に示すように、回収した硬貨および紙幣を入れた回収袋にマシンコード及びロケーションコードが記載された伝票を付し、これらを一緒にしておく。以上により、一台の自動販売機１に対する作業が終了する。その後、同一ロケーション内のすべての自動販売機１に対する売上金の回収作業が済んだか否かを確認する（ステップＳＴ６５）。その結果、同一ロケーション内にまだ売上金の回収作業が済んでない自動販売機１があれば（ＮＯ）、当該自動販売機１に対して、ステップＳＴ６２〜ステップＳＴ６４の作業を行い、売上金データの収集および貨幣の回収を行う。こうして、同一ロケーション内のすべての自動販売機１に対する売上金の回収作業が終わったら（ＹＥＳ）、ルートセールスマンは、回収した貨幣と帳簿を持って車両６０に戻る（ステップＳＴ６６）。
【００６９】
車両６０に戻ったルートセールスマンは、一台の自動販売機１で回収した紙幣を手作業で数え、コントローラ３１の入力部３４で当該紙幣の枚数を貨幣処理装置１０−４に入力する（ステップＳＴ６７）。また、当該紙幣を貨幣処理装置１０−４の紙幣投入口１６ｄに投入する。これにより、回収した紙幣が計数されて紙幣収容箱２２に収容される（ステップＳＴ６８）。入力された紙幣の計数結果は、記憶部２７に記憶される。また、表示部３２に表示するようにしてもよい。一方、ルートセールスマンは、自動販売機１で回収した硬貨を貨幣処理装置１０−４の硬貨投入部１３に投入し、入力部３４の開始／停止キーを押す。これにより、貨幣処理装置１０−４で硬貨の識別計数処理が開始される（ステップＳＴ６９）。貨幣処理装置１０−４に投入されたすべての硬貨の計数が完了することで、一台の自動販売機１から回収された硬貨の識別計数処理が終了する（ステップＳＴ７０）。識別計数ユニット１４で計数された硬貨の計数データ（計数金額情報）は、記憶部２７に記憶される。また、表示部３２に表示するようにしてもよい。さらに、貨幣処理装置１０−４の制御部２６は、識別計数ユニット１４で計数された硬貨の計数結果と、入力部３４で入力された紙幣の計数結果とを合算した結果を回収貨幣の計数データとして算出することができる（ステップＳＴ７１）。またこの算出過程では、ルートセールスマンは、自動販売機１のマシンコード及びロケーションコードをコントローラ３１の入力部３４から手作業で貨幣処理装置１０−４に入力することもできる。そして、算出した回収貨幣の計数データは、記憶部２７に記憶される（ステップＳＴ７２）。このとき、当該計数データに関する自動販売機１のマシンコード及びロケーションコードが入力されていれば、それらも一緒に記憶部２７に記憶される。また、それらを表示部３２に表示するようにしてもよい。計数データとマシンコード及びロケーションコードを表示部３２に表示すれば、帳簿に記載した自動販売機１の売上金データと計数データとの照合をルートセールスマンが目視で簡単に行えるようになる。なお、上記の貨幣の計数処理に際して、計数データとマシンコード及びロケーションコードを必要に応じて印字部３７でプリントアウトすることも可能である。
【００７０】
その後、ルートセールスマンは、同一ロケーション内のすべての自動販売機１に対する回収貨幣の計数データの集計が済んだか否かを確認する（ステップＳＴ７３）。その結果、同一ロケーション内にある自動販売機１にまだ計数データの収集が済んでないものがあれば（ＮＯ）、当該自動販売機１の計数データに対してステップＳＴ６７〜ステップＳＴ７２の手順を行い、回収貨幣の計数データを収集する。さらに、ルートセールスマンが担当するすべてのロケーションでの売上金回収が済んだか否かを判断する（ステップＳＴ７４）。その結果、売上金回収が済んでないロケーションがあれば（ＮＯ）、当該ロケーションでステップＳＴ６１からの手順を行う。最終的に、担当するすべてのロケーションにあるすべての自動販売機１の売上金回収が終わったら（ＹＥＳ）、ルートセールスマンは、車両６０を運転して営業所へ戻る（ステップＳＴ７５）。
【００７１】
ルートセールスマンが営業所に戻った後、貨幣処理装置１０−４を営業所のホストコンピュータ５０と接続し、貨幣処理装置１０−４に記憶されている回収貨幣の計数データをホストコンピュータ５０に転送する。ホストコンピュータ５０は、回収貨幣の計数データを記憶媒体に記憶する（ステップＳＴ７６）。そして、金庫室１６に収納されている硬貨収容箱２１と紙幣収容箱２２を取り出し、それらに収容された硬貨および紙幣を取り出す（ステップＳＴ７７）。また、貨幣処理装置１０−４のコントローラ３１を操作して、その日に回収した貨幣の計数データをクリアし、貨幣処理装置１０−４に記憶されている計数データをリセットする（ステップＳＴ７８）。以上により、一連の貨幣回収および回収貨幣処理の作業が終了する。
【００７２】
このように、本実施形態の回収貨幣処理システムでは、携帯端末機４０を用いず、貨幣処理装置１０−４だけで自動販売機１から回収した貨幣の処理を比較的簡易に行えるように構成している。したがって、本実施形態では、売上金データと計数金額データとの照合などの作業を売上金の回収現場で行わないようにすることも必要に応じて可能であり、そのようにすれば、貨幣の回収及び回収貨幣の処理を短時間で行えるので、自動販売機１からの売上金回収を迅速に行う必要がある場合に好適である。
【００７３】
以上本発明の実施形態を説明したが、本発明は上記実施形態に限定されるものではなく、特許請求の範囲、及び明細書と図面に記載された技術的思想の範囲内において種々の変形が可能である。例えば、上記実施形態で示した硬貨収容箱２１や紙幣収容箱２２の具体的な形状、個数などは一例であり、本発明にかかる硬貨収容箱や紙幣収容箱は、上記以外の構成であってもよい。また、金庫扉１６ｂを施錠する第１の錠２３や硬貨収容箱２１を施錠する第２の錠２１ｆあるいは紙幣収容箱２２を施錠する第２の錠２２ｆの具体的な形状、機構、個数、配置なども、上記実施形態に示すものには限定されない。
【００７４】
また、上記各実施形態では、貨幣処理装置１０と携帯端末機４０とのデータ通信を赤外線などの光通信で行う場合を示したが、これ以外にも、貨幣処理装置１０と携帯端末機４０とのデータ通信は有線で行うように構成してもよい。また、上記では、本発明の貨幣収蔵機器として、清涼飲料水やたばこなどを販売する自動販売機１を例に挙げ、回収貨幣処理システムで自動販売機１に収蔵された貨幣の回収を行う場合を説明したが、これ以外にも、本発明にかかる回収貨幣処理システムは、例えば、チェーン展開している小売店やコンビニエンスストアの各店舗から回収した貨幣（売上金）の処理や、各所に設置したパーキングメータや公衆電話から回収した貨幣の処理や、顧客に対する個別訪問で集金した貨幣の処理などにも適用が可能である。
【図面の簡単な説明】
【００７５】
【図１】本発明の第１実施形態にかかる回収貨幣処理システムが備える貨幣処理装置の外観構成を示す斜視図である。
【図２】貨幣処理装置の内部構成を示す透視概略斜視図である。
【図３】貨幣処理装置の機能構成を示すブロック図である。
【図４】回収貨幣処理システムが備える携帯端末機の外観構成を示す正面図である。
【図５】携帯端末機の機能構成を示すブロック図である。
【図６】金庫室に収納された硬貨収容箱を示す図で、（ａ）は、斜視図、（ｂ）は、平面図、（ｃ）は、正面図、（ｄ）は、（ｃ）のＥ−Ｅ断面図、（ｅ）は、開蓋状態の斜視図である。
【図７】貨幣処理装置を車両に搭載した状態を示す概略斜視図である。
【図８】コントローラの拡大斜視図である。
【図９】貨幣の回収作業の手順を説明するためのフローチャートである。
【図１０】貨幣の回収作業に伴うデータあるいは貨幣の流れを説明するための図である。
【図１１】第２実施形態にかかる貨幣処理装置が備える硬貨収容箱の構成を示す図で、（ａ）は、硬貨収容箱の側断面図、（ｂ）は、（ａ）のＢ−Ｂ矢視断面図である。
【図１２】図１１のＣ部分の拡大図で、揺動レバーと金庫室の上方の側壁との当接に伴う揺動レバーの動作を説明するための図である。
【図１３】（ａ）乃至（ｃ）は、図１１のＤ部分の拡大図で、ロック機構の構成および動作を説明するための図、（ｄ）は、（ａ）のＦ−Ｆ矢視図である。
【図１４】第３実施形態にかかる回収貨幣処理システムにおける貨幣の回収作業に伴うデータあるいは貨幣の流れを説明するための図である。
【図１５】第４実施形態にかかる貨幣処理装置の機能構成を示すブロック図である。
【図１６】第４実施形態にかかる貨幣の回収作業の手順を説明するためのフローチャートである。
【図１７】第４実施形態にかかる貨幣の回収作業に伴うデータあるいは貨幣の流れを説明するための図である。
【符号の説明】
【００７６】
１  自動販売機（貨幣収蔵機器）
１０  貨幣処理装置
１１  本体部
１２  ホッパー
１３  硬貨投入部
１４  識別計数ユニット（識別計数部）
１６  制御部
１６  金庫室（貨幣収容部）
１７  ベルト掛け
２１  硬貨収容箱
２１ｄ  蓋体
２１ｆ  第２の錠
２１ｇ  硬貨導入口
２２  紙幣収容箱
２２ｄ  蓋体
２２ｆ  第２の錠
２３  第１の錠
２６  制御部
２７  記憶部
３１  コントローラ
４０  携帯端末機
４１  制御部（端末側制御部）
４２  記憶部
４３  通信部（端末側通信部）
５０  ホストコンピュータ
６０  車両
６３  補助座席
６３ａ  座部
６３ｂ  背凭れ
６５，６６  ベルト
７２  シャッター（蓋体）
７７  ロック片
７８  第２の錠
８０  ロック機構
【図１】
2010102480.tif 000003
【図２】
2010102480.tif 000004
【図３】
2010102480.tif 000005
【図４】
2010102480.tif 000006
【図５】
2010102480.tif 000007
【図６】
2010102480.tif 000008
【図７】
2010102480.tif 000009
【図８】
2010102480.tif 000010
【図９】
2010102480.tif 000011
【図１０】
2010102480.tif 000012
【図１１】
2010102480.tif 000013
【図１２】
2010102480.tif 000014
【図１３】
2010102480.tif 000015
【図１４】
2010102480.tif 000016
【図１５】
2010102480.tif 000017
【図１６】
2010102480.tif 000018
【図１７】
2010102480.tif 000019